(57)【要約】【課題】  レシートに付随した情報記憶手段に記憶された情報を読み取るだけで家計簿を作成することができる家計簿作成システムを提供することを目的とする。【解決手段】  レシートに記載された情報を家計簿としてデータベース４０４に記録する家計簿作成システムにおいて、レシートには、ユーザの商品購入に関連した情報を記憶する情報記憶手段が付随しており、情報記憶手段に記憶された情報を読み取る情報読取手段４０１と、情報読取手段４０１が読み取った情報を基に家計簿を作成する家計簿作成手段４０３と、を備える処理装置を備える。また、情報記憶手段はＲＦＩＤであり、情報読取手段４０１はＲＦＩＤリーダライタである。【選択図】  図１
2006155186.tif 000002
【特許請求の範囲】
【請求項１】
レシートに記載された情報を家計簿としてデータベースに記録する家計簿作成システムにおいて、
前記レシートには、ユーザの商品購入に関連した情報を記憶する情報記憶手段が付随しており、
前記情報記憶手段に記憶された情報を読み取る情報読取手段と、
当該情報読取手段が読み取った情報を基に家計簿を作成する家計簿作成手段と、を備える処理装置を備え、
前記情報記憶手段は、前記情報を読み取ったことを示す情報を記憶する領域を有することを特徴とする家計簿作成システム。
【請求項２】
前記情報記憶手段はＲＦＩＤであり、前記情報読取手段はＲＦＩＤリーダライタであることを特徴とする請求項１記載の家計簿作成システム。
【請求項３】
前記処理装置は、前記データベースに記録される情報をネットワークを介して送信し、関連した情報を受信する情報送受信手段をさらに備えることを特徴とする請求項１又は２記載の家計簿作成システム。
【請求項４】
前記処理装置は、前記情報読取手段が前記レシートを読み取ったら、当該読み取られたレシートが読み取り済みであることを前記ユーザに通知する手段をさらに有することを特徴とする請求項１から３のいずれか１項記載の家計簿作成システム。
【請求項５】
ユーザの商品購入に関連した情報を記憶する情報記憶手段が付随し、
当該情報記憶手段は、前記情報を読み取ったことを示す情報を記憶する領域を有することを特徴とするレシート。
【請求項６】
前記情報記憶手段はＲＦＩＤであることを特徴とする請求項５記載のレシート。
【発明の詳細な説明】
【技術分野】
【０００１】
本発明は、家計簿作成システム及びレシートに関し、特に、情報記憶手段が付随されるレシートを用いた家計簿作成システム及びレシートに関する。
【背景技術】
【０００２】
一般に、ユーザにおいては月々の出費を管理するために、例えば百貨店やスーパーマーケット、コンビニエンスストア等で買い物をした場合に帰宅後に精算時に店舗側にて発行されたレシートを見て家計簿の記入を行うことが多い。
【０００３】
このような作業を行う場合、レシートに印刷されて金額を目視で読み取り、家計簿に手作業で入力又はパソコン等の家計簿アプリケーションにキー入力を行うのが一般的である。
【０００４】
また、バーコード付きのレシートは、バーコードをバーコードリーダで読み取らせて、入力することもある。
【０００５】
特許文献１には、レシートなどに記載された２次元コードを読み取って、これを解析し、データベースに格納する入力システムが開示されている。
【０００６】
特許文献２には、マウス本体内部にバーコードを読み取るためのバーコードリーダを内蔵するマウス構造が開示されている。
【特許文献１】特開２００２−３０４５１８号公報
【特許文献２】特開２００３−１３１８０８号公報
【発明の開示】
【発明が解決しようとする課題】
【０００７】
しかしながら、上記の従来技術では、バーコードでレシートに記載された情報を読み取り家計簿を作成するので、一度読み取った情報を再度読み込んでしまい、記録される情報が二重になることがあった。
【０００８】
そこで、本発明は、レシートに記録された情報を読み取って家計簿を作成するシステムにおいて、同じレシートを複数回読み込むことを防止することを目的とする。
【課題を解決するための手段】
【０００９】
本発明は、上記課題を解決するための手段として、レシートに記載された情報を家計簿としてデータベースに記録する家計簿作成システムにおいて、前記レシートには、ユーザの商品購入に関連した情報を記憶する情報記憶手段が付随しており、前記情報記憶手段に記憶された情報を読み取る情報読取手段と、当該情報読取手段が読み取った情報を基に家計簿を作成する家計簿作成手段と、を備える処理装置を備え、前記情報記憶手段は、前記情報を読み取ったことを示す情報を記憶する領域を有する。
【００１０】
また、本発明は、前記情報記憶手段はＲＦＩＤであり、前記情報読取手段はＲＦＩＤリーダライタであることを特徴とする。
【００１１】
また、本発明は、前記処理装置は、前記データベースに記録される情報をネットワークを介して送信し、関連した情報を受信する情報送受信手段をさらに備えることを特徴とする。
【００１２】
また、本発明は、前記処理装置は、前記情報読取手段が前記レシートを読み取ったら、当該読み取られたレシートが読み取り済みであることを前記ユーザに通知する手段をさらに有することを特徴とする。
【００１３】
また、本発明は、ユーザの商品購入に関連した情報を記憶する情報記憶手段が付随し、当該情報記憶手段は、前記情報を読み取ったことを示す情報を記憶する領域を有する。
【００１４】
また、本発明は、前記情報記憶手段はＲＦＩＤであることを特徴とする。
【発明の効果】
【００１５】
本発明によれば、情報記憶手段にＲＦＩＤを用い、ＲＦＩＤに読み取ったかどうかという情報を記憶させる構成にすれば、同じレシートを複数回読み込むことを防止することが可能となる。
【発明を実施するための最良の形態】
【００１６】
以下、添付図面を参照して本発明を実施するための最良の実施の形態を説明する。
【００１７】
図１は、本発明の一実施の形態としての家計簿作成システムの構成を示すブロック図である。
【００１８】
図１を参照すると、本発明の実施の形態の家計簿作成システムは、情報読取手段としての情報読み取り部４０１と、制御部４０２と、家計簿作成手段としてのアプリケーション４０３と、データベース４０４と、情報送受信手段としての情報送受信部４０５とを備えている。
【００１９】
これらはそれぞれ概略つぎのように動作する。
【００２０】
情報読み取り部４０１は、後記するレシートに付随された情報記憶手段の記憶内容を読み取り、結果を制御部４０２に送信する。
【００２１】
制御部４０２は、アプリケーション４０３の指示に従い情報読み取り部４０１に対し読み取りの指示を出し、送られた結果をアプリケーション４０３に送信する。
【００２２】
さらに、制御部４０２は、一度読み取ったレシートを再度読み取ることがないように、後記する情報記憶手段にそのレシートを読み取った旨の情報を書き込み、読み取り済みのレシートを読み取らないように制御する。
【００２３】
また、そのレシートを読み取った旨をユーザに通知する制御も行なうことができる。
【００２４】
アプリケーション４０３は、家計簿を作成する働きをし、ユーザの入力に従い制御部４０２に対し情報読み取りの指示を出し、送られた結果をデータベース４０４に記憶させる。
【００２５】
データベース４０４は、アプリケーション４０３にて取り扱うデータを記憶し管理する。
【００２６】
情報送受信部４０５は、レシートを読み取った結果得られた情報などをインターネットなどで送信し、関連した商品情報などを受信する。
【００２７】
図２は、情報記憶手段付随レシートの例を示す図である。
【００２８】
図２にて情報記憶手段付随レシート１０１は、通常のレシートと同じ印字で、情報記憶手段１０２が付随されている。
【００２９】
情報記憶手段１０２内にはレシートに印字内容と同等の、店名、電話番号、日時、品目、値段、合計金額、預かり金及びお釣り等の情報が記憶されているものとする。
【００３０】
ここでの「付随」とは、記憶媒体などに貼り付けられたものに限らず、表面につけられたり、印刷されたり、吊り下げられたり、内蔵されたりする場合など、記憶媒体などに付属していることが明らかな状態をいう。
【００３１】
このような情報記憶手段を実現するための技術としては、例えば、ＲＦＩＤ（Ｒａｄｉｏ  Ｆｒｅｑｕｅｎｃｙ  Ｉｄｅｎｔｉｃａｔｉｏｎ  Ｓｙｓｔｅｍ）が考えられる（同等の機能を持つ技術であれば本発明は適用可能である）。
【００３２】
ＲＦＩＤとは、電波／電磁波を利用して非接触で読み出し／書き込みを行なうＩＤシステムのことで、バーコードに代わる、物流や製品管理の効率化を進める技術として研究・開発が進められている。
【００３３】
以下、ＲＦＩＤの動作原理について簡単に説明する。
【００３４】
まず、ＲＦＩＤタグ内のアンテナがリーダライタからの電波を受信する。次いで、共振作用により起電力が発生（電磁誘導等）する。その後、ＲＦＩＤタグ内のＩＣチップが起動し、チップ内の情報を信号化する。
【００３５】
そして、カード側のアンテナから信号を発信する。それから、リーダライタのアンテナで送られてきた信号をキャッチし、コントローラーを介してＰＣへソフトウエア側で認識等のデータ処理を行う。
【００３６】
以下では、ＲＦＩＤを使用した場合について説明する。
【００３７】
図３は、ＰＣ（パーソナルコンピュータ）を用いて実施した場合の例を示す概観斜視図である。
【００３８】
図３では、ＰＣ２０１にＲＦＩＤリーダライタ２０２が接続されている。
【００３９】
ＲＦＩＤリーダライタ２０２はＲＦＩＤアンテナ２０３より情報記憶手段付随レシート（ＲＦＩＤ）２０４内の情報を読み取る。
【００４０】
情報記憶手段としてＲＦＩＤを用いることにより、バーコードを用いる場合と異なり、図２に示すように同時に複数の情報記憶手段付随レシート（ＲＦＩＤ）２０４内の情報を読み取ることが可能となる。
【００４１】
図４は、携帯電話機を用いて実施した場合の例の概観斜視図である。
【００４２】
図４では、ＲＦＩＤリーダライタ付き携帯電話機３０１を用いて、情報記憶手段付随レシート２０４内の情報を読み取る。
【００４３】
図５は、本実施の形態における役割分担の例を示したものである。
【００４４】
管理組織５０１は、情報記憶手段付随レシートを発行する店舗５０２に対し、どのようなレシートを何枚発行したかなどの情報と引き換えに発行手数料を支払う。
【００４５】
このような発行手数料が必要となるのは、通常の紙のレシートと異なり情報記憶手段付随レシートは作成にある程度コストがかかるからである。
【００４６】
店舗５０２は、情報記憶手段付随レシートの発行を行い、ユーザ５０３が支払った料金と引き換えに商品と情報記憶手段付随レシートを渡す。
【００４７】
ユーザ５０３は、図１、図２及び図３に示した方法にて情報記憶手段付随レシートに記憶された情報を読み込み、家計簿などの働きをするアプリケーション４０３に情報を登録する。
【００４８】
アプリケーション４０３は、読み取った結果得られた情報を管理組織５０１に送信し、関連した商品情報を管理組織５０１より受信する。
【００４９】
管理組織５０１から情報を送信した見返りとして、抽選などで景品をユーザ５０３に送られるという方法も考えられる。
【００５０】
また、情報記憶手段付随レシート３０２は作成にある程度コストがかかるため、例えば表面をリライラブルシートとし何度も使用可能としておき、ユーザが読み取り後の情報記憶手段付随レシート３０２を管理組織５０１又は店舗５０２に渡すと抽選で景品が当たったり、金銭がもらえたり、割引ポイントがたまる等の方法も考えられる。
【００５１】
管理組織５０１では、ユーザや店舗から送られた情報より顧客の商品購入に関するデータベースを作成し、またユーザより送られた情報数をカウントし、商品の製造元であるメーカ５０４に送信する。
【００５２】
各メーカ５０４は送られた情報に従い管理組織５０１に対し料金を支払う。
【００５３】
図６は、本実施の形態の全体の動作を示すフローチャートである。
【００５４】
ユーザ５０３は、百貨店やスーパーマーケットなどの店舗５０２にて商品を購入し店舗のレジなどで精算処理を行う（ステップＳ１）。
【００５５】
店舗５０２は、ユーザ５０３が支払った料金と引き換えに商品と情報記憶手段付随レシート３０２を渡す（ステップＳ２）。
【００５６】
ユーザ５０３は商品購入後に自宅等でＰＣ又は携帯電話機等を用いて、これらＰＣ又は携帯電話機上で動作しているアプリケーション４０３を操作し、レシートに付随された情報記憶手段に記憶された情報を、情報読み取り部４０１より読み取る（ステップＳ３）。
【００５７】
アプリケーション４０３は読み取られた情報をデータベース４０４に登録する（ステップＳ４）。
【００５８】
この情報読み取りの際にアプリケーション４０３より情報を読み取った情報記憶手段付随レシート３０２に対し情報を読み取ったことを示すデータを書き込み、このデータを読み取ってから、再度読みとりをしないように制御するという方法が考えられる。
【００５９】
さらに、ユーザにそのレシートが読み取り済みである旨を通知する制御を行なうという方法も考えられる。
【００６０】
これによって、ユーザが同じレシートの情報を複数回読んでしまったり、脱税などを目的とし第三者のレシートを自身が購入した商品のレシートのように扱い不正な帳簿操作を行うことなどを防止することが可能となる。
【００６１】
読み取り終了後、情報送受信部４０５にて読み取った情報等を管理組織５０１に送信し（ステップＳ５）、送信した商品に関連した商品情報を管理組織５０１より受信する（ステップＳ６）。
【００６２】
管理組織５０１では送信された情報より顧客の商品購入に関するデータベースを作成する（ステップＳ７）。
【００６３】
また、店舗５０２ではどのようなレシートを何枚発行したか等の情報を管理組織５０１に送信する（ステップＳ８）。
【００６４】
管理組織５０１は店舗５０２から送信された情報に従い発行手数料を送付する（ステップＳ９）。
【００６５】
管理組織５０１は各商品を製造しているメーカ５０４に情報を送信する（ステップＳ１０）。
【００６６】
各メーカ５０４では送信された情報を用いてマーケティングや商品開発を行う。また、情報の対価として管理組織５０１に料金を送付する（ステップＳ１１）。
【産業上の利用可能性】
【００６７】
本発明は、スーパー及び百貨店等で商品を購入した際のレシートを家計簿に記録するために用いることができる。
【図面の簡単な説明】
【００６８】
【図１】本発明の一実施の形態としての情報記録システムの構成を示すブロック図である。
【図２】情報記憶手段付随レシートの例を示す図である。
【図３】ＰＣ（パーソナルコンピュータ）を用いて実施した例の概観斜視図である。
【図４】携帯電話機を用いて実施した場合の例の概観斜視図である。
【図５】本実施の形態における役割分担の例を示したものである。
【図６】本実施の形態の全体の動作を示すフローチャートである。
【符号の説明】
【００６９】
１０２  情報記憶手段
４０１  情報読み取り部
４０２  制御部
４０３  アプリケーション
４０４  データベース
４０５  情報送受信部
【図１】
2006155186.tif 000003
【図２】
2006155186.tif 000004
【図３】
2006155186.tif 000005
【図４】
2006155186.tif 000006
【図５】
2006155186.tif 000007
【図６】
2006155186.tif 000008